(57)【要約】      （修正有）【課題】購買者が購入後に発生する什器上の空きの陳列部位に意図した品種の眼鏡が補充できるようにし、また購買者が眼鏡什器から眼鏡をとって試着した後、元の位置に眼鏡を戻すことができるようにする。【解決手段】眼鏡のブリッジ部分をブリッジ掛止部で・左右のツル部分を背面板１０ａの穴にて掛止する。ブリッジ掛止部は上下連続する複数本数（２乃至３本）をグループ化するために上下ならびに前後の差異を設ける。前方のブリッジ掛止部に掛止している眼鏡を取り出した際、同種の眼鏡が後方のブリッジ掛止部に残っており、補充すべき眼鏡の種類が一目瞭然となる。【選択図】図１
2017164442.tif 000002
【特許請求の範囲】
【請求項１】
背面板とブリッジ掛止板を有しており、前記ブリッジ掛止板は前記背面板に対して直立しており、前記ブリッジ掛止板は２本の眼鏡を掛けることのできるブリッジ掛止部を少なくとも１つを有しており、前記ブリッジ掛止部は前方に第一掛止部その後方に第二掛止部を高低差をもって有しており、前記第一掛止部および前記第二掛止部は上方に開放した凹形状を有しており、前記第一掛止部および前記第二掛止部に眼鏡のブリッジを掛けた際にそれぞれの眼鏡のテンプルが概ね平行になって掛止する位置になるよう前記背面板上に上穴および下穴が設けられていることを特徴とするグループ分け眼鏡什器。
【請求項２】
背面板とブリッジ掛止板を有しており、前記ブリッジ掛止板は前記背面板に対して直立しており、前記ブリッジ掛止板は３本の眼鏡を掛けることのできるブリッジ掛止部を少なくとも１つを有しており、前記ブリッジ掛止部は前方に第一掛止部その後方に第二掛止部さらにその後方に第三掛止部が順番に高低差をもって設けられており、前記第一掛止部・前記第二掛止部および前記第三掛止部はそれぞれ上方に開放した凹形状を有しており、前記第一掛止部・前記第二掛止部・前記第三掛止部に眼鏡のブリッジを掛けた際にそれぞれの眼鏡のテンプルが概ね平行になって掛止する位置になるよう前記背面板上に下穴・中穴および上穴が設けられていることを特徴とするグループ分け眼鏡什器。
【発明の詳細な説明】
【技術分野】
【０００１】  本発明は、販売用に多種類陳列している眼鏡が購入された後、同じ位置に購入された種類の眼鏡の補充をしやすくしたグループ分け眼鏡什器である。
【背景技術】
【０００２】  従来より、眼鏡を販売する方法には大きく３通りある。
１つ目はパッケージ売りで、プラスチック素材等の入れ物に眼鏡を入れて販売する方法である。
２つ目は台紙売りで説明書きやデザインされている台紙に眼鏡を紐などで固定して販売する方法である。
３つ目は裸売り（裸売り＝眼鏡をパッケージから出した状態で陳列販売する方法）である。
裸売りは購買者が着用してその使用感やデザインを確認することができるというメリットがあり、同種の眼鏡でパッケージ売りと裸売りを比較すると裸売りの方が２．５〜４倍の売上があることが実績として観測されている（当社２０１３年、１０店舗実験実施結果）。従って、多品種の眼鏡が裸売りできる状態を維持できる什器は販売に寄与する。【０００３】  従来より、眼鏡のブリッジ部分を係止する仕切り板と眼鏡のつる部分を係止するシャフトで構成される裸売り可能な眼鏡陳列台があった（例えば特許文献１）。
【先行技術文献】
【特許文献】
【０００４】
【特許文献１】特許５０４２９８８号
【発明の概要】
【発明が解決しようとする課題】
【０００５】  本発明はパッケージ売りや台紙売りよりも販売力のある裸売りできる什器を対象としている。
通常、眼鏡什器には多品種の眼鏡を陳列し、購買者の選択肢を広げることによって購買意欲を喚起する。裸売りの什器においては購買者が眼鏡を購入すると、購入された眼鏡が眼鏡什器から無くなり空きの陳列部位ができることになる。これは特許文献１も同じである。
店舗の販売員は多品種に及ぶ眼鏡のうち、眼鏡什器からどの眼鏡がなくなっているかを識別することが難しく、手元の在庫から適当に補充を行い、本来意図する眼鏡の陳列が行われないケースが多い。例えば、什器の色んな場所に同種のものばかりが陳列されるといった偏りが発生する。従って販売ロスが生じる。【０００６】  また、いくつかが販売されて眼鏡什器から眼鏡が複数個空きになった状態で購買者が眼鏡選びをした場合、手に取った眼鏡を戻す際に元の位置がどこかわからなくなり空いている場所へ任意に戻すことになる。
眼鏡の陳列位置はそのデザイン性から導き出された配列があり、空いている場所へ任意に眼鏡を掛止すると購買意欲喚起を目的とした眼鏡の配列が崩れることになり、販売ロスを発生させる可能性がある。【０００７】  本発明が解決しようとする課題は、購買者が購入後に発生する什器上の空きの陳列部位に意図した品種の眼鏡が補充できるようにすることであり、また購買者が眼鏡什器から眼鏡をとって試着した後、元の位置に眼鏡を戻すことができるようにすることである。
【課題を解決するための手段】
【０００８】  眼鏡を陳列する方法として、ブリッジ部分をブリッジ掛止部で左右のツル部分を背面板の穴で支持して掛止する。
眼鏡を掛止する上下連続する複数本数（２乃至３本）で１グループとし、同一種類の眼鏡をその１グループ単位で陳列する。
前記１グループを構成する構造として、眼鏡のブリッジ部を掛止するブリッジ掛止部について上下差ならびに背面板に対して前後の差異を設ける。前方のブリッジ掛止部に掛止している眼鏡を取り出した際、同種の眼鏡が後方のブリッジ掛止部に残っているため、空いている前方のブリッジ掛止部に補充すべき眼鏡の種類が一目瞭然となる。
什器本体に品番などのシールを貼付して、什器における眼鏡の位置を表示する方法もあるが、この場合シールがデザイン性を損なったり、品種の位置を変える場合にシールを取り除く必要があり非効率でまた貼付跡が汚くなる。
【発明の効果】
【０００９】  本発明であるグループ分け眼鏡什器は、上下に連続配置する一種類の眼鏡を１グループとし、販売や試着で１つが取り外されても、残りの１個により取り外された眼鏡の種類を特定できるため、販売員が補充する際に間違いなく同種の眼鏡を補充することができ、あるいは購買者の試着の場合は、元の場所に戻してくれる。
従って、眼鏡陳列の配列が乱れないため、いつでも企画者の意図する美しい売り場が保てる。【００１０】  販売員の補充が確実になることで、販売員が発注する際も品種の間違いが無くなり、特定品種の商品切れや在庫過多になることを防ぐことが出来る。
特に、眼鏡の専門店ではなくホームセンターやドラッグストアなど眼鏡以外の物品をたくさん扱っている店舗では、眼鏡の補充や発注するスタッフにおける経験の浅い者が多く、間違いが発生しやすいのが常であるが、本発明のグループ分け眼鏡什器にて取り扱う眼鏡では、経験の浅い者でも間違えることが少なく補充や発注が可能となる。
【図面の簡単な説明】
【００１１】
【図１】本発明第一の実施形態の斜視図
【図２】本発明第一の実施形態の正面図
【図３】本発明第一の実施形態の左側面図
【図４】本発明第一の実施形態の使用状態（２本補充した状態）を表す斜視図
【図５】本発明第一の実施形態の使用状態（販売後１本残りになった状態）を表す斜視図
【図６】眼鏡の部位名称を表す斜視図
【図７】本発明第一の実施形態の部分拡大図
【図８】本発明第一の実施形態の後方からの斜視図
【図９】本発明第二の実施形態の斜視図
【図１０】本発明第二の実施形態の部分拡大図
【図１１】本発明第三の実施形態の斜視図
【図１２】本発明第三の実施形態の部分拡大図
【発明を実施するための形態】
【００１２】  （基本構成・特徴）
図１に示すとおり本発明第一の実施形態であるグループ分け眼鏡什器９０ａは、２本の同種の眼鏡を１グループとして複数グループ掛けることのできる什器である。本発明の基本構造は、ブリッジ掛止板１ａのブリッジ掛止部２ａと背面板１０ａの穴で眼鏡４０のブリッジ４１および２箇所のテンプル４２（図６参照）の計３箇所で支持する仕組みである。本発明の特徴的な機能構造は２本の眼鏡４０を１グループとして隣接する上下位置に掛止する点である。
この同種の眼鏡を１グループで掛けられる構造は、眼鏡４０を什器から出し入れする際に意図する場所に意図する種類の眼鏡４０を掛けることを可能にすることができ、ディスプレイおよび補充等のオペレーションに絶大なる効果を発揮する。
図１および図２に示すとおり本発明第一の実施形態であるグループ分け眼鏡什器９０ａは、主たる部材として背面板１０ａとブリッジ掛止板１ａを有しており、眼鏡４０のテンプル４２を差し入れる上穴１１と下穴１２を有する背面板１０ａに対してブリッジ掛止板１ａが直立しており、背面板１０ａとブリッジ掛止板１ａは底板２０に載せて固定されている。更に、図３に示すとおり補強板３０により背面板１０ａと底板２０の固定が補強されている。
【００１３】  （背面板）
図２に示すとおり背面板１０ａには眼鏡４０のテンプル４２を差し入れる上穴１１と下穴１２が上下に１対となり、かつ、ブリッジ掛止板１ａを挟んで対称の位置に同じく上穴１１と下穴１２が１対となっている。
図２の例でいうと、縦一列に対し眼鏡４０を上下方向に２４本掛けられるようになっている。この場合、上下方向に上穴１１と下穴１２が１グループとして１２セットありブリッジ掛止板１ａを挟んで対称の位置に同じく上下方向に上穴１１と下穴１２を１グループに１２セットある。
【００１４】  （ブリッジ掛止板）
図１・図２および図３に示すとおり、ブリッジ掛止板１ａは背面板１０ａに対して直立しており、ブリッジ掛止部２ａを有している。ブリッジ掛止部２ａは眼鏡４０のブリッジ４１を掛止できるよう２つのブリッジ掛止部位を有しており、１つは第一掛止部３ａでもう１つは第二掛止部４ａである。第一掛止部３ａはブリッジ掛止部２ａの前方突端側に位置して眼鏡４０のブリッジ４１を掛止するべく上方に開放した凹形状を有している。また、第二掛止部４ａは第一掛止部３ａの後方に位置して眼鏡４０のブリッジを掛止すべく上方が開放した凹形状を有している。ブリッジ掛止部２ａを構成する第一掛止部３ａの凹形状最下部は第二掛止部４ａの凹形状最下部より高い位置にあり、背面板１０ａには第一掛止部３ａおよび第二掛止部４ａのそれぞれに対応する上穴１１および下穴１２を有している。第二掛止部４ａに眼鏡４０のブリッジ４１を掛止した際に左右のテンプル４２が底板２０に対して概ね平行になるよう２つの下穴１２内で掛止する。また、第一掛止部３ａに眼鏡４０のブリッジ４１を掛止した際に左右２本のテンプル４２が概ね平行になるよう２つの上穴１１内で掛止する。
第一掛止部３ａに掛止した眼鏡４０は前方上段となり、第二掛止部４ａに掛止した眼鏡４０は後方下段となる。
図４に示すとおり、グループ分け眼鏡什器９０ａにおいて１つのブリッジ掛止板１ａにはブリッジ掛止部２ａが１２箇所設けられており、そのブリッジ掛止板１ａが２枚設けられており計４８本（２４グループ）の眼鏡４０がディスプレイできる。
【００１５】  （補充）
図５に示すとおり、２本の同じ種類の眼鏡４０のうち１本目の眼鏡４０は後方に位置させるためテンプル４２を背面板１０ａの下穴１２に差し入れ、ブリッジ４１を第二掛止部４ａに載せてグループ分け眼鏡什器９０ａに眼鏡４０を掛止する。
図４に示すとおり、２本の同じ種類の眼鏡４０のうち２本目の眼鏡４０は前方に位置させるためテンプル４２を背面板１０ａの上穴１１に差し入れ、ブリッジ４１を第一掛止部３ａに載せてグループ分け眼鏡什器９０ａに眼鏡４０を掛止する。
眼鏡４０のテンプル４２は概ね水平になるように第一掛止部３ａと上穴１１および第二掛止部４ａと下穴１２の高さが設定されている。
【００１６】  （購入または試着）
図４を参考にすると、購買者は眼鏡４０を購入または試着の際、手前側にある眼鏡４０即ち第一掛止部３ａと上穴１１に掛止しているものから取り出す。同種類２本の眼鏡のうち１本目の眼鏡４０が取り出されると図５の状態になる。購買者が試着して元に戻そうとする場合に図５の状態を確認すると同種の眼鏡が１本残っているため、その眼鏡を目安に同じ位置へ眼鏡４０を戻すことができる。購買者が購入した場合、店舗等の補充者は残っている１種類の眼鏡４０から、どの種類の眼鏡４０が売れているのか確認でき、容易に補充や追加の発注を行うことができる。
【００１７】  （収容本数）
本発明第一の実施形態であるグループ分け眼鏡什器９０ａの背面板１０ａの上穴１１および下穴１２の数およびそれに対応するブリッジ掛止部２ａを有するブリッジ掛止板１ａの数により、図１と比べて上下方向に収容する本数を増減させることができる。
また、図１ではブリッジ掛止板１ａの数は２枚であるが、１枚或いは３枚以上でも良く、ブリッジ掛止板１ａの数により収容本数は増減させることができる。
【００１８】  （第二の実施形態）
図９に示すとおり、本発明第二の実施形態であるグループ分け眼鏡什器９０ｂは２本の同種の眼鏡を１グループとして複数グループ掛けることのできる什器である。本発明の基本構造は、ブリッジ掛止板１ｂのブリッジ掛止部２ｂと背面板１０ｂの上穴１１および下穴１２で眼鏡４０のブリッジ４１および２箇所のテンプル４２の計３箇所で支持する仕組みである。基本的な構造はグループ分け眼鏡什器９０ａと同じであるが、２本の同じ種類の眼鏡４０を掛ける際に１グループ内の眼鏡の前後位置と上下位置の関係が異なる。
図９に示すとおり、本発明第二の実施形態であるグループ分け眼鏡什器９０ｂは１グループに２本の眼鏡９０を掛止できる。当該グループの上段に位置する眼鏡４０が後方に、下段に位置する眼鏡４０が前方になるようブリッジ掛止板１ｂおよびブリッジ掛止部２ｂが構成されている。
図１０に示すとおり、第一掛止部３ｂはブリッジ掛止部２ｂの前方突端側に位置して眼鏡４０のブリッジ４１を掛止するべく上方に開放した凹形状を有している。また、第二掛止部４ｂは第一掛止部３ｂの後方に位置して眼鏡４０のブリッジ４１を掛止すべく上方が開放した凹形状を有している。第一掛止部３ｂの凹形状最下部は第二掛止部４ｂの凹形状最下部より低い位置にあり、背面板１０ｂには第一掛止部３ｂおよび第二掛止部４ｂのそれぞれに対応する下穴１２および上穴１１を有しており、第一掛止部３ｂに眼鏡４０のブリッジ４１を掛止した際にテンプル４２が２つの下穴１２内で掛止し、第二掛止部４ｂに眼鏡４０のブリッジ４１を掛止した際にテンプル４２が２つの上穴１１内で掛止する。
第一掛止部３ｂに掛止した眼鏡４０は前方下段となり、第二掛止部４ｂに掛止した眼鏡４０は後方上段となる。
前記対応する下穴１２および上穴１１とは、眼鏡４０を掛止した際にテンプル４２が概ね平行になる位置関係にある。
図９に示すとおり、２枚のブリッジ掛止板１ｂにはブリッジ掛止部２ｂがそれぞれ６箇所設けられており、計２４本（最大１２グループ）の眼鏡４０がディスプレイできる。
【０００８】  （第三の実施形態）
図１１に示すとおり、本発明第三の実施形態であるグループ分け眼鏡什器９０ｃは３本の同種の眼鏡を１グループとして複数グループ掛けることのできる什器である。本発明の基本構造は、ブリッジ掛止板１ｃのブリッジ掛止部２ｃと背面板１０ｃの上穴１１・下穴１２および中穴１３で眼鏡４０のブリッジ４１および２箇所のテンプル４２の計３箇所で支持する仕組みであり、基本的な構造はグループ分け眼鏡什器９０ｂと同じであるが、１グループが３本になる点が異なる。
図１１に示すとおり、本発明第三の実施形態であるグループ分け眼鏡什器９０ｃは１グループに３本の眼鏡９０を掛止できる。当該グループの上段に位置する眼鏡が後方に・下段に位置する眼鏡が前方側に・そしてグループの中段に位置する眼鏡が後方側と前方側の間になるようブリッジ掛止板１ｃにブリッジ掛止部２ｃおよび背面板１０ｃに穴が設けられている。
図１２に示すとおり、第一掛止部３ｃはブリッジ掛止部２ｃの前方突端側に位置して眼鏡４０のブリッジ４１を掛止するべく上方に開放した凹形状を有している。また、第二掛止部４ｃは第一掛止部３ｃの後方に位置して眼鏡４０のブリッジ４１を掛止すべく上方が開放した凹形状を有している。更に第三掛止部５ｃは第二掛止部４ｃの後方に位置して眼鏡４０のブリッジ４１を掛止すべく上方が開放した凹形状を有している。
第一掛止部３ｃの凹形状最下部は第二掛止部４ｃの凹形状最下部より低い位置にあり、第二掛止部４ｃの凹形状最下部は第三掛止部５ｃの凹形状最下部より低い位置にあり、図１１に示すとおり背面板１０ｃには第一掛止部３ｃ・第二掛止部４ｃおよび第三掛止部５ｃのそれぞれに対応する下穴１２・中穴１３および上穴１１を有しており、第一掛止部３ｃに眼鏡４０のブリッジ４１を掛止した際にテンプル４２が２つの下穴１２内で掛止し、第二掛止部４ｃに眼鏡４０のブリッジ４１を掛止した際にテンプル４２が２つの中穴１３内で掛止し、第三掛止部５ｃに眼鏡４０のブリッジ４１を掛止した際にテンプル４２が２つの上穴１２内で掛止する。
第一掛止部３ｂに掛止した眼鏡４０は下段となり、第二掛止部４ｂに掛止した眼鏡４０は中段となり、第三掛止部４ｃに掛止した眼鏡４０は上段となる。
前記対応する下穴１２・中穴１３および上穴１１とは、眼鏡４０を掛止した際にテンプル４２が概ね平行になる位置関係にある。
図１１に示すとおり、ブリッジ掛止板１ｃにはブリッジ掛止部２ｃが６箇所設けられており、計１８本（最大６グループ）の眼鏡４０がディスプレイできる。
【実施例１】
【０００７】  図１に示すとおり背面板１０ａの上穴１１および下穴１２の数を上下方向に合計２４個設けて、それらの穴に対応したブリッジ掛止部２ａを設けたブリッジ掛止板１ａを２枚、背面板１０ａに取り付けたグループ分け眼鏡什器９０ａを作成した。１つのブリッジ掛止部２ａには１種類の眼鏡４０を掛けた。該グループ分け眼鏡什器９０ａは２４個（１２種類）×２列の４８個（２４種類）の眼鏡４０を掛けることができた。
店舗販売にて消費者がブリッジ掛止部２ａの前方に位置する眼鏡４０を第一掛止部３ａおよび上穴１１から１本抜き取っても、同一のブリッジ掛止部２ａにある第二掛止部４ａおよび下穴１２に残っている眼鏡４０により抜き取った眼鏡４０の種類を容易に特定できたため、補充を行う際に種類を間違えることなく補充することができた。
【産業上の利用可能性】
【０００８】  眼鏡を多品種ディスプレイして販売する方法において、本発明であるグループ分け眼鏡什器９０ａを用いると、１品種２本が上下に位置しているため、販売時に１本が売れた際に残りの１本により販売した品種が容易に特定できる。
什器本体に品番などのシールを貼付して、什器における眼鏡の位置を表示する方法もあるが、この場合シールがデザイン性を損なったり、品種の位置を変える場合にシールを取り除く必要があり非効率でまた貼付跡が汚くなる。
【符号の説明】
【０００８】１ａ      ブリッジ掛止板
１ｂ      ブリッジ掛止板
１ｃ      ブリッジ掛止板
２ａ      ブリッジ掛止部
２ｂ      ブリッジ掛止部
２ｃ      ブリッジ掛止部
３ａ      第一掛止部
３ｂ      第一掛止部
３ｃ      第一掛止部
４ａ      第二掛止部
４ｂ      第二掛止部
４ｃ      第二掛止部
５ｃ      第三掛止部
１０ａ    背面板
１０ｂ    背面板
１０ｃ    背面板
１１      上穴
１２      下穴
１３      中穴
２０      底板
３０      補強板
４０      眼鏡
４１      ブリッジ
４２      テンプル
９０ａ    グループ分け眼鏡什器
９０ｂ    グループ分け眼鏡什器
９０ｃ    グループ分け眼鏡什器
【図１】
2017164442.tif 000003
【図２】
2017164442.tif 000004
【図３】
2017164442.tif 000005
【図４】
2017164442.tif 000006
【図５】
2017164442.tif 000007
【図６】
2017164442.tif 000008
【図７】
2017164442.tif 000009
【図８】
2017164442.tif 000010
【図９】
2017164442.tif 000011
【図１０】
2017164442.tif 000012
【図１１】
2017164442.tif 000013
【図１２】
2017164442.tif 000014